(57)【要約】【課題】ＩＤカード等の個人認証が可能な記録媒体を用いて本人確認を行うシステムにおいて、より強固に本人の確認ができるシステムを提供すること。【解決手段】サーバと、被個人認証者に携帯され、前記被個人認証者の個人情報を記憶する記録媒体と、前記被個人認証者の個人認証時に、前記記録媒体に記憶された個人情報を読み取る記録媒体読取部と、前記被個人認証者の個人認証に使用される基本生体情報を前記個人情報に対応させて予め登録するデータベースと、前記被個人認証者の個人認証時に前記被個人認証者の生体情報を読み取る生体情報読取部とを具備し、前記記録媒体読取部は、前記読み取った個人情報をネットワークを介し前記サーバへ送信し、前記サーバは、受信した前記個人情報に対応する基本生体情報を前記データベースから抽出し、前記生体情報読取部は、前記読み取った生体情報を前記ネットワークを介し前記サーバに送信し、前記サーバは、前記抽出した基本生体情報と、受信した前記生体情報とに基づいて生体情報照合を行い被個人認証者の個人認証をする。【選択図】        図１
2004318409.tif 000002
【特許請求の範囲】
【請求項１】
サーバと、
被個人認証者に携帯され、前記被個人認証者の個人情報を記憶する記録媒体と、
前記被個人認証者の個人認証時に、前記記録媒体に記憶された個人情報を読み取る記録媒体読取部と、
前記被個人認証者の個人認証に使用される基本生体情報を、前記個人情報に対応させて予め登録するデータベースと、
前記被個人認証者の個人認証時に、前記被個人認証者の生体情報を読み取る生体情報読取部と、
を具備し、
前記記録媒体読取部は、前記読み取った個人情報をネットワークを介し前記サーバへ送信し、
前記サーバは、受信した前記個人情報に対応する基本生体情報を前記データベースから抽出し、
前記生体情報読取部は、前記読み取った生体情報を前記ネットワークを介し前記サーバに送信し、
前記サーバは、前記抽出した基本生体情報と、受信した前記生体情報とに基づいて生体情報照合を行い被個人認証者の個人認証をする
個人認証システム。
【請求項２】
請求項１に記載の個人認証システムにおいて、
前記データベースは、前記個人認証時に前記生体情報読取部によって読み取られた生体情報を、生体情報履歴として前記個人情報に対応させて登録し、
前記サーバは、生体情報照合時に、前記基本生体情報と前記生体情報履歴の少なくとも一つを抽出し、個人認証をする
個人認証システム。
【請求項３】
請求項２に記載の個人認証システムにおいて、
前記データベースは、複数の生体情報履歴を登録し、
前記サーバは、生体情報照合時に、前記基本生体情報と前記複数の生体情報履歴の少なくとも一つを抽出し、個人認証をする
個人認証システム。
【請求項４】
請求項３に記載の個人認証システムにおいて、
前記サーバは、前記基本生体情報と前記複数の生体情報履歴を平均化した平均生体情報を作成し、
前記生体情報照合時に前記平均生体情報と、前記受信した生体情報とを用いて個人認証をする
個人認証システム。
【請求項５】
請求項４に記載の個人認証システムにおいて、
前記データベースは、前記被個人認証者の個人情報を前記記録媒体に記憶するときに、前記個人情報に対応する前記基本生体情報を登録する
個人認証システム。
【請求項６】
請求項１乃至５の何れか１項に記載の個人認証システムにおいて、
前記記録媒体は、さらに、前記被個人認証者の基本生体情報を記録媒体付属生体情報として記憶し、
前記記録媒体読取部は、個人認証時に前記記録媒体付属生体情報を読み取り、読み取った前記記録媒体付属生体情報を前記ネットワークを介して前記サーバに送信し、
前記生体情報読取部は、読み取った生体情報を前記ネットワークを介し前記サーバに送信し、
前記サーバは、受信した前記記録媒体付属生体情報と受信した前記生体情報とを照合し、個人認証をする
個人認証システム。
【請求項７】
請求項１乃至６の何れか１項に記載の個人認証システムにおいて、
前記記録媒体は、さらに、暗証番号を記憶し、
前記記録媒体読取部は、入力部を備え、
前記記録媒体読取部は、前記入力部で入力された入力番号と前記記録媒体が記憶する暗証番号とを照合し、個人認証をする
個人認証システム。
【請求項８】
請求項１乃至６の何れか１項に記載の個人認証システムにおいて、
前記基本生体情報と前記生体情報に顔画像を用いて個人認証を行う
個人認証システム。
【請求項９】
被個人認証者に携帯される記録媒体が、前記被個人認証者の個人情報を記憶するステップと、
前記被個人認証者の個人認証時に、前記記録媒体に記憶された個人情報を読み取るステップと、
前記被個人認証者の個人認証に使用される基本生体情報を、前記個人情報に対応させて予め登録するステップと、
前記被個人認証者の個人認証時に、前記被個人認証者の生体情報を読み取るステップと、
前記読み取った個人情報をネットワークを介しサーバへ送信するステップと、
受信した前記個人情報に対応する基本生体情報をデータベースから抽出するステップと、
前記読み取った生体情報を前記ネットワークを介し前記サーバに送信するステップと、
前記抽出した基本生体情報と、受信した前記生体情報とに基づいて生体情報照合を行い被個人認証者の個人認証をするステップと
を具備する方法をコンピュータで実行可能なプログラム。
【請求項１０】
請求項９に記載のプログラムにおいて、さらに、
前記個人認証時に前記生体情報読取部によって読み取られた生体情報を、生体情報履歴として前記個人情報に対応させて登録するステップと、
生体情報照合時に、前記基本生体情報と前記生体情報履歴の少なくとも一つを抽出するステップと、
前記抽出した前記基本生体情報と前記生体情報履歴の少なくとも一つに基づいて生体情報照合を行い被個人認証者の個人認証をするステップと、
を具備する方法をコンピュータで実行可能なプログラム。
【請求項１１】
請求項１０に記載のプログラムにおいて、さらに、
複数の生体情報履歴を登録するステップと、
生体情報照合時に、前記基本生体情報と前記複数の生体情報履歴の少なくとも一つを抽出するステップと、
前記抽出した前記基本生体情報と前記複数の生体情報履歴の少なくとも一つに基づいて生体情報照合を行い被個人認証者の個人認証をするステップと、
を具備する方法をコンピュータで実行可能なプログラム。
【請求項１２】
請求項１１に記載のプログラムにおいて、さらに、
前記基本生体情報と前記複数の生体情報履歴を平均化した平均生体情報を作成するステップと、
前記生体情報照合時に前記平均生体情報と、前記受信した生体情報とを用いて個人認証をするステップと
を具備する方法をコンピュータで実行可能なプログラム。
【請求項１３】
請求項１２に記載のプログラムにおいて、さらに、
前記被個人認証者の個人情報を前記記録媒体に記憶するときに、前記個人情報に対応する前記基本生体情報を登録するステップと
を具備する方法をコンピュータで実行可能なプログラム。
【請求項１４】
請求項９乃至１３の何れか１項に記載のプログラムにおいて、
前記被個人認証者の基本生体情報を記録媒体付属生体情報として記憶するステップと、
個人認証時に前記記録媒体付属生体情報を読み取るステップと、
読み取った前記記録媒体付属生体情報を前記ネットワークを介して前記サーバに送信するステップと、
受信した前記記録媒体付属生体情報と受信した前記生体情報とを照合するステップと、
を具備する方法をコンピュータで実行可能なプログラム。
【請求項１５】
請求項９乃至１４の何れか１項に記載のプログラムにおいて、
前記記録媒体が暗証番号を記憶するステップと、
入力された入力番号と前記記録媒体が記憶する暗証番号とを照合するステップと、
を具備する方法をコンピュータで実行可能なプログラム。
【請求項１６】
請求項９乃至１５の何れか１項に記載のプログラムにおいて、
前記基本生体情報と前記生体情報に顔画像を用いて個人認証を行う
方法をコンピュータで実行可能なプログラム。
【請求項１７】
被個人認証者の個人認証に使用される基本生体情報を、前記被個人認証者の個人情報に対応させて予め登録するデータベースを具備し、
前記被個人認証者に携帯され、前記個人情報を記憶する記録媒体から、前記被個人認証者の個人認証時に読み取られた前記個人情報を、ネットワークを介し受信し、
前記受信した前記個人情報に対応する基本生体情報を前記データベースから抽出し、
前記被個人認証者の個人認証時に読み取られた前記被個人認証者の生体情報を前記ネットワークを介し受信し
前記抽出した基本生体情報と、前記受信した生体情報とに基づいて生体情報照合を行い、前記被個人認証者の個人認証をする
サーバ。
【請求項１８】
請求項１７に記載のサーバにおいて、
前記データベースは、前記個人認証時に読み取られた生体情報を、生体情報履歴として前記個人情報に対応させて登録し、
前記生体情報照合時に、前記基本生体情報と前記生体情報履歴の少なくとも一つを抽出し、個人認証をする
サーバ。
【請求項１９】
請求項１８に記載のサーバにおいて、
前記データベースは、複数の生体情報履歴を登録し、
前記生体情報照合時に、前記基本生体情報と前記複数の生体情報履歴の少なくとも一つを抽出し、個人認証をする
サーバ。
【請求項２０】
請求項１９に記載のサーバにおいて、
前記基本生体情報と前記複数の生体情報履歴を平均化した平均生体情報を作成し、
前記生体情報照合時に前記平均生体情報と、前記受信した生体情報とを用いて個人認証をする
サーバ。
【請求項２１】
請求項２０に記載のサーバにおいて、
前記データベースは、前記被個人認証者の個人情報を前記記録媒体に記憶するときに、前記個人情報に対応する前記基本生体情報を登録する
サーバ。
【請求項２２】
請求項１７乃至２１の何れか１項に記載のサーバにおいて、
前記記録媒体は、さらに、前記被個人認証者の基本生体情報を記録媒体付属生体情報として記憶し、
個人認証時に読み取られた前記記録媒体付属生体情報を前記ネットワークを介して受信し、
前記個人認証時に読み取られた生体情報を前記ネットワークを介し受信し、
受信した前記記録媒体付属生体情報と、受信した前記生体情報とを照合し、個人認証をする
サーバ。
【請求項２３】
請求項１７乃至２２の何れか１項に記載のサーバにおいて、
前記記録媒体は、さらに、暗証番号を記憶し、
個人認証時に読み取られた前記暗証番号を前記ネットワークを介して受信し、
個人認証時に入力された入力番号を前記ネットワークを介して受信し、
前記入力番号と前記暗証番号とを照合し、個人認証をする
サーバ。
【請求項２４】
請求項１７乃至２３の何れか１項に記載のサーバにおいて、
前記基本生体情報と前記生体情報に顔画像を用いて個人認証を行う
サーバ。
【発明の詳細な説明】
【０００１】
【発明の属する技術分野】
本発明は、顔照合技術に関する。
【０００２】
【従来の技術】
銀行等で使用されるキャッシュカードには、カード自身が暗証番号を記憶する暗証番号付ＩＤカードが用いられる。利用者は、暗証番号付ＩＤカード使用時にその暗証番号を入力する。入力された番号と、カード自身が記憶している番号を照合して利用者本人の確認をするシステムが知られている。
【０００３】
暗証番号に変えて、利用者本人の顔画像をＩＤカードに記憶させた顔画像付属ＩＤカードを用いて、そのＩＤカード使用時にカード使用者の顔画像を撮影し、ＩＤカードに記憶された顔画像と、使用時に撮影された顔画像とを照合して本人の確認をするシステムが知られている。（例えば、特許文献１参照。）。
【０００４】
また、顔画像付属ＩＤカードを作成時に使用した顔画像をサーバに保存し、顔画像付属ＩＤカードを更新する場合に、保存した画像を利用して顔画像付属ＩＤカードを更新するシステムが知られている（例えば、特許文献２参照。）。
【０００５】
ＩＤカード使用時、より強固に本人の確認ができるシステムが望まれる。
【０００６】
また、より強固に本人の確認ができ、本人以外の第三者による不正利用を防止するシステムが望まれる。
【０００７】
さらに、より強固に本人の確認ができ、本人以外の第三者によるＩＤカードの不正取得を防止するシステムが望まれる。
【０００８】
さらに、より強固に本人の確認ができ、ＩＤカード所有者の誤登録を防止するシステムが望まれる。
【０００９】
【特許文献１】
特開２００１−２９０４１２号公報
【特許文献２】
特開２００２−３４２７６６号公報
【００１０】
【発明が解決しようとする課題】
本発明が解決しようとする課題は、ＩＤカード等の個人認証が可能な記録媒体を用いて本人確認を行うシステムにおいて、より強固に本人の確認ができるシステムを提供することにある。
【００１１】
また、より強固に本人の確認ができ、本人以外の第三者による不正利用を防止するシステムを提供することにある。
【００１２】
また、より強固に本人の確認ができ、本人以外の第三者によるＩＤカードの不正取得を防止するシステムを提供することにある。
【００１３】
さらに、より強固に本人の確認ができ、ＩＤカード所有者の誤登録を防止するシステムを提供することにある。
【００１４】
【課題を解決するための手段】
以下に、［発明の実施の形態］で使用される番号を用いて、課題を解決するための手段を説明する。これらの番号は、［特許請求の範囲］の記載と［発明の実施の形態］との対応関係を明らかにするために付加されたものである。ただし、それらの番号を、［特許請求の範囲］に記載されている発明の技術的範囲の解釈に用いてはならない。
【００１５】
サーバ（１０）と、被個人認証者に携帯され、前記被個人認証者の個人情報を記憶する記録媒体と、前記被個人認証者の個人認証時に、前記記録媒体に記憶された個人情報を読み取る記録媒体読取部（４５）と、前記被個人認証者の個人認証に使用される基本生体情報を前記個人情報に対応させて予め登録するデータベース（１５）と、前記被個人認証者の個人認証時に前記被個人認証者の生体情報（６０）を読み取る生体情報読取部（３５）とを具備し、前記記録媒体読取部（４５）は、前記読み取った個人情報をネットワーク（２０）を介し前記サーバ（１０）へ送信し、前記サーバ（１０）は、受信した前記個人情報に対応する基本生体情報（４０）を前記データベース（１５）から抽出し、前記生体情報読取部（３５）は、前記読み取った生体情報（６０）を前記ネットワーク（２０）を介し前記サーバ（１０）に送信し、前記サーバ（１０）は、前記抽出した基本生体情報（４０）と、受信した前記生体情報（６０）とに基づいて生体情報照合を行い被個人認証者の個人認証をする。
【００１６】
前記データベース（１５）は、さらに、前記個人認証時に前記生体情報読取部（３５）によって読み取られた生体情報（６０）を、生体情報履歴として前記個人情報に対応させて登録し、前記サーバ（１０）は、生体情報照合時に、前記基本生体情報（４０）と前記生体情報履歴の少なくとも一つを抽出し、個人認証をする。
【００１７】
前記データベース（１５）は、さらに、複数の生体情報履歴を登録し、前記サーバ（１０）は、生体情報照合時に、前記基本生体情報（４０）と前記複数の生体情報履歴の少なくとも一つを抽出し、個人認証をする。
【００１８】
さらに、前記サーバ（１０）は、前記基本生体情報（４０）と前記複数の生体情報履歴を平均化した平均生体情報を作成し、前記生体情報照合時に前記平均生体情報と、前記受信した生体情報（６０）とを用いて個人認証をする。
【００１９】
さらに、前記データベース（１５）は、前記被個人認証者の個人情報を前記記録媒体に記憶するときに、前記個人情報に対応する前記基本生体情報（４０）を登録する。
【００２０】
前記記録媒体は、さらに、前記被個人認証者の基本生体情報（４０）を記録媒体付属生体情報として記憶し、前記記録媒体読取部（４５）は、個人認証時に前記記録媒体付属生体情報を読み取り、読み取った前記記録媒体付属生体情報を前記ネットワーク（２０）を介して前記サーバ（１０）に送信し、前記生体情報読取部（３５）は、読み取った生体情報（６０）を前記ネットワーク（２０）を介し前記サーバ（１０）に送信し、前記サーバ（１０）は、受信した前記記録媒体付属生体情報と受信した前記生体情報（６０）とを照合し、個人認証をする。
【００２１】
前記記録媒体は、さらに、暗証番号を記憶し、前記記録媒体読取部（４５）は、入力部を備え、前記記録媒体読取部（４５）は、前記入力部で入力された入力番号と前記記録媒体が記憶する暗証番号とを照合し、個人認証をする。
【００２２】
さらに、前記基本生体情報（４０）と前記生体情報に顔画像を用いて個人認証を行う。
【００２３】
被個人認証者に携帯される記録媒体が、前記被個人認証者の個人情報を記憶するステップと、前記被個人認証者の個人認証時に、前記記録媒体に記憶された個人情報を読み取るステップと、前記被個人認証者の個人認証に使用される基本生体情報（４０）を、前記個人情報に対応させて予め登録するステップと、前記被個人認証者の個人認証時に、前記被個人認証者の生体情報（６０）を読み取るステップと、前記読み取った個人情報をネットワーク（２０）を介し前記サーバ（１０）へ送信するステップと、受信した前記個人情報に対応する基本生体情報（４０）を前記データベース（１５）から抽出するステップと、前記読み取った生体情報（６０）を前記ネットワーク（２０）を介し前記サーバ（１０）に送信するステップと、前記抽出した基本生体情報（４０）と、受信した前記生体情報（６０）とに基づいて生体情報照合を行い被個人認証者の個人認証をするステップとを具備する方法をコンピュータプログラムで実行する。
【００２４】
さらに、前記個人認証時に前記生体情報読取部（３５）によって読み取られた生体情報（６０）を、生体情報履歴として前記個人情報に対応させて登録するステップと、生体情報照合時に、前記基本生体情報（４０）と前記生体情報履歴の少なくとも一つを抽出するステップと、前記抽出した前記基本生体情報（４０）と前記生体情報履歴の少なくとも一つに基づいて生体情報照合を行い被個人認証者の個人認証をするステップとを具備する方法をコンピュータプログラムで実行する。
【００２５】
さらに、複数の生体情報履歴を登録するステップと、生体情報照合時に、前記基本生体情報（４０）と前記複数の生体情報履歴の少なくとも一つを抽出するステップと、前記抽出した前記基本生体情報（４０）と前記複数の生体情報履歴の少なくとも一つに基づいて生体情報照合を行い被個人認証者の個人認証をするステップとを具備する方法をコンピュータプログラムで実行する。
【００２６】
さらに、前記基本生体情報（４０）と前記複数の生体情報履歴を平均化した平均生体情報を作成するステップと、前記生体情報照合時に前記平均生体情報と、前記受信した生体情報（６０）とを用いて個人認証をするステップとを具備する方法をコンピュータプログラムで実行する。
【００２７】
さらに、前記被個人認証者の個人情報を前記記録媒体に記憶するときに、前記個人情報に対応する前記基本生体情報（４０）を登録するステップとを具備する方法をコンピュータプログラムで実行する。
【００２８】
前記被個人認証者の基本生体情報（４０）を記録媒体付属生体情報として記憶するステップと、個人認証時に前記記録媒体付属生体情報を読み取るステップと、読み取った前記記録媒体付属生体情報を前記ネットワーク（２０）を介して前記サーバ（１０）に送信するステップと、受信した前記記録媒体付属生体情報と受信した前記生体情報（６０）とを照合するステップとを具備する方法をコンピュータプログラムで実行する。
【００２９】
さらに、前記記録媒体が暗証番号を記憶するステップと、入力された入力番号と前記記録媒体が記憶する暗証番号とを照合するステップと、を具備する方法をコンピュータプログラムで実行する。
【００３０】
さらに、前記基本生体情報と前記生体情報に顔画像を用いて個人認証を行う方法をコンピュータプログラムで実行する。
【００３１】
被個人認証者の個人認証に使用される基本生体情報（４０）を、前記被個人認証者の個人情報に対応させて予め登録するデータベース（１５）を具備し、前記被個人認証者に携帯され、前記個人情報を記憶する記録媒体から、前記被個人認証者の個人認証時に読み取られた前記個人情報を、ネットワーク（２０）を介し受信し、前記受信した前記個人情報に対応する基本生体情報（４０）を前記データベース（１５）から抽出し、前記被個人認証者の個人認証時に読み取られた前記被個人認証者の生体情報を前記ネットワーク（２０）を介し受信し前記抽出した基本生体情報（４０）と、前記受信した生体情報（６０）とに基づいて生体情報照合を行い、前記被個人認証者の個人認証をするサーバ（１０）を用いる。
【００３２】
さらに、前記データベース（１５）は、前記個人認証時に読み取られた生体情報（６０）を、生体情報履歴として前記個人情報に対応させて登録し、前記生体情報照合時に、前記基本生体情報（４０）と前記生体情報履歴の少なくとも一つを抽出し、個人認証をするサーバ（１０）を用いる。
【００３３】
さらに、前記データベース（１５）は、複数の生体情報履歴を登録し、前記生体情報照合時に、前記基本生体情報（４０）と前記複数の生体情報履歴の少なくとも一つを抽出し、個人認証をするサーバ（１０）を用いる。
【００３４】
さらに、前記基本生体情報（４０）と前記複数の生体情報履歴を平均化した平均生体情報を作成し、前記生体情報照合時に前記平均生体情報と、前記受信した生体情報（６０）とを用いて個人認証をするサーバ（１０）を用いる。
【００３５】
さらに、前記データベース（１５）は、前記被個人認証者の個人情報を前記記録媒体に記憶するときに、前記個人情報に対応する前記基本生体情報（４０）を登録するサーバ（１０）を用いる。
【００３６】
前記記録媒体は、前記被個人認証者の基本生体情報（４０）を記録媒体付属生体情報として記憶し、個人認証時に読み取られた前記記録媒体付属生体情報を前記ネットワーク（２０）を介して受信し、前記個人認証時に読み取られた生体情報を前記ネットワーク（２０）を介し受信し、受信した前記記録媒体付属生体情報と、受信した前記生体情報（６０）とを照合し、個人認証をするサーバ（１０）を用いる。
【００３７】
前記記録媒体は、さらに、暗証番号を記憶し、個人認証時に読み取られた前記暗証番号を前記ネットワーク（２０）を介して受信し、個人認証時に入力された入力番号を前記ネットワーク（２０）を介して受信し、前記入力番号と前記暗証番号とを照合し、個人認証をするサーバ（１０）を用いる。
【００３８】
さらに、前記基本生体情報と前記生体情報に顔画像を用いて個人認証を行うサーバ（１０）を用いる。
【００３９】
【発明の実施の形態】
（実施の構成）
図面を用いて、本発明の第１の実施の形態の構成を述べる。
【００４０】
図１を参照すると、第１の実施の形態は、記録媒体、登録端末３０、管理会社サーバ１０、利用端末５０、通信ネットワーク２０、で構成される。以下、第１の実施の形態に用いる記録媒体には、記録媒体所有者個人に携帯され、所有者の個人情報を記録するカード形状の記録媒体（以下、ＩＤカードと呼ぶ）を用いるが、これは本発明の記録媒体の形状を特定するものではない。
【００４１】
ＩＤカードは、クレジットカード、デビットカード、電子マネーなど、現金に変わる決済手段として用いられるペイメントカード類や、自動車運転免許証、住民基本台帳カードなど、そのカードの所有者の個人情報を表面に記載された文字や、カードが内蔵する記憶媒体に電子的に記憶し、カード所有者の身分証明に用いることができる全てのカード類である。
【００４２】
管理会社サーバ１０は、サーバ機能を有するパーソナルコンピュータなどの情報処理端末である。図１を参照すると、管理会社サーバ１０は、顔画像データベース１５を有し、登録端末３０から送信されたＩＤカード所有者の個人情報を、顔画像データベース１５に登録する。さらに、登録端末３０から送信された顔画像を、基本顔画像４０としてＩＤカード所有者の個人情報に対応させて顔画像データベース１５に登録する。また、ＩＤカード利用時に利用端末５０から送信された顔画像と、過去に顔画像データベース１５に登録した基本顔画像４０とを照合し、ＩＤカードの不正使用が行われていないかどうかを監視する。
【００４３】
顔画像データベース１５はＩＤカード作成時に登録端末３０から送信された基本顔画像４０を登録するだけでなく、ＩＤカード利用時に利用端末５０で撮影され、通信ネットワーク２０を介して送信され、顔照合に用いられた最新顔画像６０を顔照合完了後に顔画像履歴として記憶する。ＩＤカードの利用回数が増えるたびに顔画像データベース１５が記憶する顔画像履歴の量が増え、顔照合の照合精度が向上する。
【００４４】
登録端末３０は、パーソナルコンピュータなどの情報処理端末である。図２を参照すると、登録端末３０は、ＩＤカードの利用が可能な金融機関や店舗の店頭に設置され、新規にＩＤカードを作成する時に使用される。新規ＩＤカード作成者の個人情報の入力を受け付ける機能と、その新規ＩＤカード作成者のＩＤカード作成時の顔画像を撮影する顔画像撮影機能３５を有する。また、通信ネットワーク２０に接続されており、入力された個人情報と、撮影した顔画像を通信ネットワーク２０を介し管理会社サーバ１０へ送信する。
【００４５】
利用端末５０は、パーソナルコンピュータなどの情報処理端末である。図２を参照すると、利用端末５０は、登録端末３０で作成されたＩＤカードの利用が可能な金融機関の窓口や、店舗の店頭に設置され、ＩＤカードを利用する時に使用される。ＩＤカード所有者の個人情報の入力を受け付ける機能と、そのＩＤカード所有者のＩＤカード利用時の顔画像を撮影する顔画像撮影機能３５と、ＩＤカード情報読取機能を有する。また、通信ネットワーク２０に接続されており入力された個人情報と、撮影した顔画像を通信ネットワーク２０を介し管理会社サーバ１０へ送信する。
【００４６】
さらに、利用端末５０は管理会社サーバ１０が行った顔照合結果、そのＩＤカードが利用可能であった場合、管理会社サーバ１０からＩＤカードの利用許可情報を通信ネットワーク２０を介して受信する機能を有する。
【００４７】
通信ネットワーク２０は、ＷＡＮ（Ｗｉｄｅ  Ａｒｅａ  Ｎｅｔｗｏｒｋ：広域情報通信網）、金融機関専用回線、インターネット等の情報通信可能なネットワークである。
【００４８】
（実施例の動作）
図面を用いて、本発明の第１の実施の形態の動作を述べる。
【００４９】
始めに、図５を用いて、ＩＤカード作成時の動作について述べる。
【００５０】
図５を参照すると、ＩＤカード作成者は、ステップＳ１０３において登録端末３０で個人情報を入力し、管理会社サーバ１０の顔画像データベース１５に登録する。暗証番号の設定が必要なＩＤカードの場合、ステップＳ１０７において暗証番号を設定する。登録端末３０で入力された個人情報や、暗証番号は通信ネットワーク２０を介して管理会社サーバ１０に送信され、管理会社サーバ１０は送信された個人情報と暗証番号を対応させて顔画像データベース１５に登録する。
【００５１】
個人情報と暗証番号の登録完了後、登録端末３０はステップＳ１０９において、登録端末３０に付属の顔画像撮影機能３５を用いて、ＩＤカード作成者の顔画像を撮影する。撮影された顔画像は、通信ネットワーク２０を介して管理会社サーバ１０に送信され、管理会社サーバ１０は、ステップＳ１１１において、送信された顔画像をＩＤカードの作成者の基本顔画像４０としてＩＤカード作成者の個人情報と共に顔画像データベース１５に登録する。
【００５２】
ＩＤカード作成者の個人情報の登録と、ＩＤカード作成者の基本顔画像４０の登録が完了すると、ステップＳ１１３において、管理会社サーバ１０からＩＤカードの発行許可がおりてＩＤカードが発行される。発行するＩＤカードが顔画像付属ＩＤカードの場合、基本顔画像４０と同じ顔画像をＩＤカードに付属して発行する。発行されたＩＤカードは、作成者個人のみが所有者となる。ＩＤカード利用時に設定された暗証番号や、ＩＤカード利用時に撮影された顔画像を用いて、顔画像データベース１５に登録された所有者の個人情報と対応付けることで、所有者の身分を証明するＩＤカードとなる。
【００５３】
次に、ＩＤカード利用時の動作について述べる。
【００５４】
図６は顔画像付属ＩＤカードを使用し、暗証番号と顔画像照合の両方を用いて利用者照合を行う場合の流れ図である。図６を参照すると、利用者はステップＳ２０１において、ＩＤカードを利用者端末のＩＤカード情報読取装置４５に挿入する。ＩＤカード情報読取装置４５はＩＤカードに記憶された個人情報を読み取る。
【００５５】
ステップＳ２０３において、利用者端末は、ＩＤカード情報読取装置４５が読み取った個人情報を通信ネットワーク２０を介して管理会社サーバ１０へ送信する。管理会社サーバ１０は、送信された個人情報に基づいて、挿入されたＩＤカードが利用可能なＩＤカードかどうかを監視する。ステップＳ２０１で挿入されたＩＤカードの個人情報が特定できなかった場合や、ステップＳ２０１で挿入されたＩＤカードが利用停止中のＩＤカードであった場合、管理会社サーバ１０はＩＤカードが利用不可能である旨の情報を利用端末５０に送信する。ＩＤカードが利用不可能である旨の情報を受信した利用端末５０はＩＤカードの受付を停止し、処理はそこで終了する。
【００５６】
ステップＳ２０１で挿入されたＩＤカードが利用可能なＩＤカードであった場合、利用端末５０は暗証番号の入力を利用者に要求し、利用者は、ステップＳ２０５において、ＩＤカードを利用するための暗証番号を利用端末５０に付属する入力装置を用いて入力する。
【００５７】
ステップＳ２０７において、利用者端末は、入力された暗証番号とＩＤカードに記憶する暗証番号とを比較する。ＩＤカードに記憶する暗証番号と異なる番号が入力された場合、利用端末５０はＩＤカードの受付を停止し、処理はそこで終了する。
【００５８】
利用者端末は、正しい暗証番号の入力が行われたことを確認すると、ステップＳ２１１において、利用者端末に付属の顔画像撮影機能３５を用いてＩＤカード利用者の本人顔画像を撮影する。さらに、利用者端末は、ステップＳ２１３において、利用端末５０に付属するＩＤカード画像読取装置を用いてＩＤカードに付属のカード顔画像をスキャンし、ステップＳ２１１で撮影した本人顔画像と、ステップＳ２１３でスキャンしたカード顔画像を、通信ネットワーク２０を介して管理会社サーバ１０に送信する。
【００５９】
ステップＳ２１５において、管理会社サーバ１０はステップＳ２１１で撮影され通信ネットワーク２０を介して送信された本人顔画像と、ステップＳ２１３でスキャンされ通信ネットワーク２０を介して送信されたカード顔画像を受信し、両方の顔画像を用いて顔照合を行う。受信した本人顔画像とカード顔画像が合致しない場合、管理会社サーバ１０はＩＤカード利用不許可情報を通信ネットワーク２０を介して利用端末５０に送信する。ＩＤカード利用不許可情報を受信した利用端末５０はＩＤカードの利用を停止し、処理はそこで終了する。
【００６０】
ＩＤカードに付属するカード顔画像と、ＩＤカード利用時に撮影された本人顔画像が合致した場合、ステップＳ２１７に進む。ステップＳ２１７において、管理会社サーバ１０はステップＳ２１３でスキャンしたカード顔画像と、ＩＤカード作成時に顔画像データベース１５に登録した基本顔画像４０との顔照合を行う。両方の顔画像が合致しなかった場合、管理会社サーバ１０はＩＤカード利用不許可情報を通信ネットワーク２０を介して利用端末５０に送信する。ＩＤカード利用不許可情報を受信した利用端末５０はＩＤカードの利用を停止し、処理はそこで終了する。
【００６１】
カード顔画像と顔画像データベース１５に登録した基本顔画像４０との顔照合の結果、両方の画像が合致した場合ステップＳ２１９に進む。ステップＳ２１９において、管理会社サーバ１０は、ステップＳ２１１で撮影した本人顔画像と、顔画像データベース１５に登録した基本顔画像４０とを用いて顔照合を行う。両方の顔画像が合致しなかった場合、管理会社サーバ１０はＩＤカード利用不許可情報を通信ネットワーク２０を介して利用端末５０に送信する。ＩＤカード利用不許可情報を受信した利用端末５０はＩＤカードの利用を停止し、処理はそこで終了する。
【００６２】
ステップＳ２１９において顔照合を行った結果、顔画像が合致した場合、管理会社サーバ１０は、ＩＤカードの利用許可情報を通信ネットワーク２０を介して利用者端末に送信する。利用者端末はＩＤカード利用許可情報を受信した場合に、ＩＤカードの利用が可能になる。
【００６３】
管理会社サーバ１０は、ＩＤカードの利用許可情報を送信した後、ステップＳ２１１で撮影された本人顔画像を顔画像データベース１５に顔画像履歴として登録する。顔画像データベース１５は顔画像が撮影された日時に対応して顔画像履歴を登録し、次回のＩＤカード利用時に基本顔画像４０だけでなく顔画像履歴も用いて顔照合を行う。ＩＤカードの利用回数の増加に対応して、登録された顔画像履歴が増えることで顔照合の精度が上がり、また、顔照合にかかる時間が短縮する。
【００６４】
ＩＤカードの管理会社は、ＩＤカードが利用される環境に応じて顔照合方法を任意に変更することが可能である。登録された複数の顔画像を用いて平均化した顔画像を作成し、その平均顔画像を用いる方法、前回ＩＤカードを利用したときに登録された顔画像履歴を用いる方法、ＩＤカード作成時から現在まで顔画像データベース１５に登録されたＩＤカード所有者の全ての顔画像と照合を行う方法、さらに、ＩＤカード所有者の顔画像に類似する別人の顔画像も用いる方法等で顔照合を行い、必要ならば、これらの複数の照合方法を組合せて使用し、照合精度を向上させる。
【００６５】
顔照合方法は、眼、鼻、口、などの特徴点の位置、形状、大きさなどをパラメータ化して特徴ベクトルを生成し、予め登録されている対象人物の特徴ベクトルとの類似度を計算して最も類似度が高い人物を本人と識別する構造解析的手法や、瞳、鼻などの特徴点を基準とした２次元ａｆｆｉｎｅ変換などの幾何学変換により位置、大きさ等を正規化された画像と予め登録されている正規化画像とのパターンの類似度に基づいた方法などを用いる。
【００６６】
以上の動作により、より強固に本人の確認が可能なＩＤカードを利用した個人認証システムの提供が可能になる。
【００６７】
次に、顔画像付属ＩＤカードを使用し、暗証番号を設定せず、顔画像照合を暗証番号に変えて利用者照合を行う場合について述べる。
【００６８】
図７は、顔画像付属ＩＤカードを使用し、暗証番号を設定せず、顔画像照合を暗証番号に変えて利用者照合を行う場合の流れ図である。図７を参照すると、利用者は、ＩＤカード利用開始時にステップＳ３０１において、ＩＤカードを利用者端末のＩＤカード情報読取装置４５に挿入する。ＩＤカード情報読取装置４５は挿入されたＩＤカードに記憶された個人情報を読み取る。
【００６９】
ステップＳ３０３において、利用者端末は、ＩＤカード情報読取装置４５が読み取った個人情報を通信ネットワーク２０を介して管理会社サーバ１０へ送信する。管理会社サーバ１０は、送信された個人情報に基づいて、挿入されたＩＤカードが利用可能なＩＤカードかどうかを監視する。ステップＳ３０１で挿入されたＩＤカードの個人情報が特定できなかった場合や、ステップＳ３０１で挿入されたＩＤカードが利用停止中のＩＤカードであった場合、管理会社サーバ１０はＩＤカードが利用不可能である旨の情報を利用端末５０に送信する。ＩＤカードが利用不可能である旨の情報を受信した利用端末５０はＩＤカードの受付を停止し、処理はそこで終了する。
【００７０】
ステップＳ３０１で挿入されたＩＤカードが利用可能なＩＤカードであった場合、利用者端末は、ステップＳ３０５において、利用者端末に付属の顔画像撮影機能３５を用いてＩＤカード利用者の本人顔画像を撮影する。さらに、利用者端末は、ステップＳ３０７において、利用端末５０に付属するＩＤカード画像読取装置を用いてＩＤカードに付属のカード顔画像をスキャンし、ステップＳ３０５で撮影した本人顔画像と、ステップＳ３０７でスキャンしたカード顔画像を、通信ネットワーク２０を介して管理会社サーバ１０に送信する。
【００７１】
ステップＳ３０９において、管理会社サーバ１０は通信ネットワーク２０を介して送信された本人顔画像とカード顔画像を受信し、両方の顔画像を用いて顔照合を行う。ステップＳ３０５で撮影した本人顔画像と、ステップＳ３０７でスキャンしたカード顔画像が合致しない場合、管理会社サーバ１０はＩＤカード利用不許可情報を通信ネットワーク２０を介して利用端末５０に送信する。ＩＤカード利用不許可情報を受信した利用端末５０はＩＤカードの利用を停止し、処理はそこで終了する。
【００７２】
ＩＤカードに付属する顔画像と、利用時に撮影された顔画像が合致した場合、ステップＳ３１３に進む。ステップＳ３１３において、管理会社サーバ１０は、ステップ３０７でスキャンしたカード顔画像と顔画像データベース１５に登録した基本顔画像４０とを用いて顔照合を行う。両方の顔画像が合致しなかった場合、管理会社サーバ１０はＩＤカード利用不許可情報を通信ネットワーク２０を介して利用端末５０に送信する。ＩＤカード利用不許可情報を受信した利用端末５０はＩＤカードの利用を停止し、処理はそこで終了する。
【００７３】
カード顔画像と顔画像データベース１５に登録した基本顔画像４０との顔照合の結果、両方の画像が合致した場合、ステップＳ３１５に進む。ステップＳ３１５において、管理会社サーバ１０は、ステップＳ３０５で撮影した本人顔画像と、顔画像データベース１５に登録した基本顔画像４０とを用いて顔照合を行う。両方の顔画像が合致しなかった場合、管理会社サーバ１０はＩＤカード利用不許可情報を通信ネットワーク２０を介して利用端末５０に送信する。ＩＤカード利用不許可情報を受信した利用端末５０はＩＤカードの利用を停止し、処理はそこで終了する。
【００７４】
ステップＳ３１５において顔照合を行った結果、顔画像が合致した場合、管理会社サーバ１０は、ＩＤカードの利用許可情報を通信ネットワーク２０を介して利用者端末に送信する。利用者端末はＩＤカード利用許可情報を受信した場合に、ＩＤカードの利用が可能になる。
【００７５】
管理会社サーバ１０は、ＩＤカードの利用許可情報を送信した後、ステップＳ３０５で撮影された本人顔画像を顔画像データベース１５に顔画像履歴として登録する。顔画像データベース１５は顔画像が撮影された日時に対応して顔画像履歴を登録し、次回のＩＤカード利用時に基本顔画像４０だけでなく顔画像履歴も用いて顔照合を行う。ＩＤカードの利用回数の増加に対応して、登録された顔画像履歴が増えることで顔照合の精度が上がり、また、顔照合にかかる時間が短縮する。
【００７６】
ＩＤカードの管理会社は、ＩＤカードが利用される環境に応じて顔照合方法を任意に変更することが可能である。登録された複数の顔画像を用いて平均化した顔画像を作成し、その平均顔画像を用いる方法、前回ＩＤカードを利用したときに登録された顔画像履歴を用いる方法、ＩＤカード作成時から現在まで顔画像データベース１５に登録されたＩＤカード所有者の全ての顔画像と照合を行う方法、さらに、ＩＤカード所有者の顔画像に類似する別人の顔画像も用いる方法等で顔照合を行い、必要ならば、これらの複数の照合方法を組合せて使用し、照合精度を向上させる。
【００７７】
顔照合方法は、眼、鼻、口、などの特徴点の位置、形状、大きさなどをパラメータ化して特徴ベクトルを生成し、予め登録されている対象人物の特徴ベクトルとの類似度を計算して最も類似度が高い人物を本人と識別する構造解析的手法や、瞳、鼻などの特徴点を基準とした２次元ａｆｆｉｎｅ変換などの幾何学変換により位置、大きさ等を正規化された画像と予め登録されている正規化画像とのパターンの類似度に基づいた方法などを用いる。
【００７８】
顔画像照合を暗証番号に変えて利用者照合を行う場合は、暗証番号を設定する場合に比較して、不正利用に対する対策が脆弱になる可能性があるが、暗証番号を設定しないことにより、システムにかかる負荷が軽くなり、また、システムを構築するコストの軽減が可能になり、安価なシステムの構築に効果がある。
【００７９】
次に、顔画像が付属しないＩＤカードを使用し、暗証番号と、顔画像照合を用いて利用者照合を行う場合について述べる。
【００８０】
図８は、顔画像が付属しないＩＤカードを使用し、暗証番号と顔画像照合を用いて利用者照合を行う場合の流れ図である。図８を参照すると、利用者は、ＩＤカード利用開始時にステップＳ４０１において、ＩＤカードを利用者端末のＩＤカード情報読取装置４５に挿入する。ＩＤカード情報読取装置４５は挿入されたＩＤカードに記憶された個人情報を読み取る。
【００８１】
ステップＳ４０３において、利用者端末は、ＩＤカード情報読取装置４５が読み取った個人情報を通信ネットワーク２０を介して管理会社サーバ１０へ送信する。管理会社サーバ１０は、送信された個人情報に基づいて、挿入されたＩＤカードが利用可能なＩＤカードかどうかを監視する。ステップＳ４０１で挿入されたＩＤカードの個人情報が特定できなかった場合や、ステップＳ４０１で挿入されたＩＤカードが利用停止中のＩＤカードであった場合、管理会社サーバ１０はＩＤカードが利用不可能である旨の情報を利用端末５０に送信する。ＩＤカードが利用不可能である旨の情報を受信した利用端末５０はＩＤカードの受付を停止し、処理はそこで終了する。
【００８２】
ステップＳ４０１で挿入されたＩＤカードが利用可能なＩＤカードであった場合、利用端末５０は暗証番号の入力を利用者に要求し、利用者は、ステップＳ４０５において、ＩＤカードを利用するための暗証番号を利用端末５０に付属する入力装置を用いて入力する。
【００８３】
ステップＳ４０７において、利用者端末は、入力された暗証番号とＩＤカードに記憶する暗証番号とを比較する。ＩＤカードに記憶する暗証番号と異なる番号が入力された場合、利用端末５０はＩＤカードの受付を停止し、処理はそこで終了する。
【００８４】
利用者端末は、正しい暗証番号の入力が行われたことを確認すると、ステップＳ４１１において、利用者端末に付属の顔画像撮影機能３５を用いてＩＤカード利用者の本人顔画像を撮影し、ステップＳ４１１で撮影した本人顔画像を通信ネットワーク２０を介して管理会社サーバ１０に送信する。
【００８５】
ステップＳ４１３において、管理会社サーバ１０は通信ネットワーク２０を介して送信された本人顔画像と、顔画像データベース１５に登録した基本顔画像４０とを用いて顔照合を行う。ステップＳ４１１で撮影した本人顔画像と、顔画像データベース１５に登録した基本顔画像４０が合致しない場合、管理会社サーバ１０はＩＤカード利用不許可情報を通信ネットワーク２０を介して利用端末５０に送信する。ＩＤカード利用不許可情報を受信した利用端末５０はＩＤカードの利用を停止し、処理はそこで終了する。
【００８６】
ステップＳ４１３において顔照合を行った結果、顔画像が合致した場合、管理会社サーバ１０は、ＩＤカードの利用許可情報を通信ネットワーク２０を介して利用者端末に送信する。利用者端末はＩＤカード利用許可情報を受信した場合に、ＩＤカードの利用が可能になる。
【００８７】
管理会社サーバ１０は、ＩＤカードの利用許可情報を送信した後、ステップＳ４１１で撮影された本人顔画像を顔画像データベース１５に顔画像履歴として登録する。顔画像データベース１５は顔画像が撮影された日時に対応して顔画像履歴を登録し、次回のＩＤカード利用時に基本顔画像４０だけでなく顔画像履歴も用いて顔照合を行う。ＩＤカードの利用回数の増加に対応して、登録された顔画像履歴が増えることで顔照合の精度が上がり、また、顔照合にかかる時間が短縮する。
【００８８】
ＩＤカードの管理会社は、ＩＤカードが利用される環境に応じて顔照合方法を任意に変更することが可能である。登録された複数の顔画像を用いて平均化した顔画像を作成し、その平均顔画像を用いる方法、前回ＩＤカードを利用したときに登録された顔画像履歴を用いる方法、ＩＤカード作成時から現在まで顔画像データベース１５に登録されたＩＤカード所有者の全ての顔画像と照合を行う方法、さらに、ＩＤカード所有者の顔画像に類似する別人の顔画像も用いる方法等で顔照合を行い、必要ならば、これらの複数の照合方法を組合せて使用し、照合精度を向上させる。
【００８９】
顔照合方法は、眼、鼻、口、などの特徴点の位置、形状、大きさなどをパラメータ化して特徴ベクトルを生成し、予め登録されている対象人物の特徴ベクトルとの類似度を計算して最も類似度が高い人物を本人と識別する構造解析的手法や、瞳、鼻などの特徴点を基準とした２次元ａｆｆｉｎｅ変換などの幾何学変換により位置、大きさ等を正規化された画像と予め登録されている正規化画像とのパターンの類似度に基づいた方法などを用いる。
【００９０】
顔画像が付属しないＩＤカードは、設定された暗証番号が第三者に知られてしまうと、容易にその第三者の利用を可能にしてしまう。ＩＤカードに顔画像を付属させ不正利用に対する対策を強化することが望ましいが、反面、ＩＤカードに顔画像を付属させると、ＩＤカード所有者の顔が公になってしまう懸念も拭い切れない。本実施例に述べる顔照合技術を用いることにより、顔画像が付属しないＩＤカードも不正利用に対する対策を強化する効果がある。
【００９１】
次に、本発明における第２の実施の形態について述べる。
【００９２】
本発明における第２の実施の形態では、顔画像付属ＩＤカード発行業務全般における、ＩＤカードの不正取得を防止する実施例について述べる。顔画像付属ＩＤカードにはさまざまな形態のものが存在するが、ここでは自動車運転免許証を例に取り述べる。
【００９３】
自動車運転免許証の取得の機会は、新規取得、更新、再発行などがある。自動車運転免許証発行業務では、免許取得者の顔画像データをサーバに蓄積し、自動車運転免許証番号により顔画像データを含む運転免許証情報を照会するシステム（以下、ファイリングと呼ぶ。）が知られている。
【００９４】
ファイリングは、自動車運転免許証の更新や再発行における、窓口業務の作業効率の向上に効果のあるシステムである。第２の実施の形態では、ファイリングにおける更なる信頼性の向上に効果のある実施例を述べる。
【００９５】
図９は、本発明における第２の実施の形態の運転免許更新時の構成を示す概念図である。図９を参照すると、第２の実施の形態の運転免許更新時の構成は、ファイリングサーバ８０、ファイリングデータベース９０、顔照合サーバ１１０で構成される。
【００９６】
免許更新者は、運転免許更新時に、運転免許に付属する免許写真の撮影を行う。撮影された免許写真は、ファイリングサーバ８０に送信され、更新時の照合画像７０としてファイリングデータベース９０に保存される。
【００９７】
ファイリングサーバ８０は、ファイリングデータベース９０に保存されていた免許更新者の過去顔画像１００と、更新時に撮影された免許更新者の照合画像７０を、顔照合サーバ１１０に送信する。顔照合サーバ１１０は、送信された顔画像を照合し、照合結果を出力する。
【００９８】
図１０は、本発明における第２の実施の形態の運転免許再交付時の構成を示す概念図である。図１０を参照すると、第２の実施の形態の運転免許再交付時の構成は、ファイリングサーバ８０、ファイリングデータベース９０、写真スキャナ１５５、管理端末１３０、一時ファイル１４０、顔照合サーバ１１０で構成される。
【００９９】
運転免許証再交付申請者は、再交付申請時に、顔写真付き再交付申請書１５０を持参する。運転免許発行業者は写真スキャナ１５５を用いて再交付申請書１５０の顔写真を管理端末１３０に取り込む。
【０１００】
管理端末１３０は、取り込んだ再交付申請書１５０の顔写真をファイリングサーバ８０に送信し、ファイリングサーバ８０は、送信された再交付申請書１５０の顔写真をファイリングデータベース９０に再交付時顔画像として登録する。さらに、再交付申請者の運転免許証番号を用いてファイリングサーバ８０に検索要求を行い、ファイリングサーバ８０はファイリングデータベース９０に登録されていた再交付申請者の顔画像を抽出する。
【０１０１】
ファイリングサーバ８０は、再交付時顔画像と登録されていた再交付申請者の顔画像を、顔照合サーバ１１０に送信する。顔照合サーバ１１０は、送信された顔画像を照合し、照合結果を出力する。
【０１０２】
図１１は、本発明における第２の実施の形態の運転免許試験時の構成を示す概念図である。図１１を参照すると、第２の実施の形態の運転免許試験時の構成は、ファイリングサーバ８０、ファイリングデータベース９０、写真スキャナ１５５、顔画像撮影機能３５、顔照合サーバ１１０で構成される。
【０１０３】
運転免許受験者は、顔写真付き受験票１７０を持参する。運転免許発行業者は写真スキャナ１５５を用いて受験票１７０の顔写真１７５を取り込む。または、デジタルカメラなどのデジタル化された証明写真であればそのままの状態で利用する。取り込んだ顔写真１７５を顔照合サーバ１１０に送信する。
【０１０４】
さらに、学科試験端末１６０に設置された顔画像撮影機能３５を用いて、受験者の顔画像１６５を撮影する。学科試験端末１６０がない場合（机上での筆記試験などの場合）には、試験場内に外部から顔画像撮影機能３５を持ちこみ設置する。顔画像撮影機能３５により試験中に受験者の顔画像１６５を撮影し、顔照合サーバ１１０に送信する。顔照合サーバ１１０は、顔写真１７５と送信された顔画像１６５を照合し、照合結果を出力する。
【０１０５】
図１２は、本発明における第２の実施の形態の運転免許発行時の構成を示す概念図である。図１２を参照すると、第２の実施の形態の運転免許発行時の構成は、ファイリングサーバ８０、ファイリングデータベース９０、写真スキャナ１５５、免許カメラ装置１８０、顔画像撮影機能３５、顔照合サーバ１１０で構成される。
【０１０６】
学科試験に合格した受験生は、試験会場に設置された免許カメラ装置１８０で免許に付属する顔画像１８５を撮影する。
【０１０７】
免許カメラ装置１８０で撮影された顔画像１８５は、ファイリングサーバ８０に送信され、ファイリングサーバ８０は、免許カメラ装置１８０で撮影された顔画像１８５を免許発行時顔画像として、ファイリングデータベース９０に登録する。
【０１０８】
顔照合サーバ１１０は、学科試験受験時に写真スキャナ１５５を用いて取り込まれた受験票１７０の顔写真１７５と、試験中に顔画像撮影機能３５により撮影された受験者の顔画像１６５と、さらに免許発行時顔画像を用いて顔画像を照合し、照合結果を出力する。
【０１０９】
【発明の効果】
本発明は、ＩＤカード作成時に作成者の顔画像を顔画像データベース１５に登録し、そのＩＤカード使用時、使用者の顔画像を撮影し、この両方の顔画像を用いて顔照合を行うシステムを用いることで、強固に本人の確認ができ、本人以外の第三者による不正利用を防止する効果がある。
【０１１０】
また、本発明は、ＩＤカード作成時に作成者の顔画像を撮影して顔画像データベース１５に登録し、さらにその顔画像を記憶する顔画像付属ＩＤカードを用いる。顔画像付属ＩＤカードを用いることで、ＩＤカード付属顔画像と、顔画像データベース１５に登録した顔画像と、使用者のＩＤカード使用時の顔画像との三つの顔画像を用いて顔照合を行い、より強固に本人の確認ができ、本人以外の第三者による不正利用を厳重に防止する効果がある。
【０１１１】
さらに、本発明は、ＩＤカード作成時に登録する顔画像以外に、ＩＤカード利用時後毎に撮影され、顔照合に用いられた顔画像を顔画像履歴として顔画像データベース１５に登録し、次回からの顔照合精度を向上させるとともに、顔照合が年月の経過による顔の変化に対応しきれず、ＩＤカードの正当な所有者が通常の利用手続きを行ったにもかかわらずＩＤカードの利用許可が得られない不具合を減少させる効果がある。
【０１１２】
さらに、本発明は、顔画像データベース１５に登録された顔画像を情報として共有させることで、新たに別のＩＤカードを作成する場合において、作成当初から顔照合が可能になり、ＩＤカード所有者の誤登録を防止する効果がある。
【図面の簡単な説明】
【図１】図１は、本発明の第１の実施の形態の構成を示す概念図である。
【図２】図２は、本発明の第１の実施の形態におけるデータの流れを示す図である。
【図３】図３は、顔照合の１形態を示す図である。
【図４】図４は、データベースに登録された顔照合に用いられるデータの一例を示す図である。
【図５】図５は、本発明の第１の実施の形態のＩＤカード作成時の流れを示す流れ図である。
【図６】図６は、本発明の第１の実施の形態のＩＤカード利用時の流れを示す流れ図である。
【図７】図７は、本発明の第１の実施の形態のＩＤカード利用時の流れを示す流れ図である。
【図８】図８は、本発明の第１の実施の形態のＩＤカード利用時の流れを示す流れ図である。
【図９】図９は、本発明の第２の実施の形態における、ＩＤカード更新時の構成を示す概念図である。
【図１０】図１０は、本発明の第２の実施の形態における、ＩＤカード再発行時の構成を示す概念図である。
【図１１】図１１は、本発明の第２の実施の形態における、ＩＤカード新規作成時の構成を示す概念図である。
【図１２】図１２は、本発明の第２の実施の形態における、ＩＤカード新規作成時の別の構成を示す概念図である。
【符号の説明】
１０        管理会社サーバ
１５        顔画像データベース
２０        通信ネットワーク
３０        登録端末
３５        顔画像撮影機能
４０        基本顔画像
４５        ＩＤカード情報読取機能
５０        利用端末
６０        最新顔画像
７０        照合画像
８０        ファイリングサーバ
９０        ファイリングデータベース
１００      過去顔画像
１１０      顔照合サーバ
１２０      照合結果
１３０      管理端末
１４０      一時ファイル
１５０      再交付申請書
１５５      写真スキャナ
１６０      学科試験端末
１６５      受験者の顔画像
１７０      受験票
１７５      受験票の顔写真
１８０      免許カメラ装置
１８５      免許に付属する顔画像
【図１】
2004318409.tif 000003
【図２】
2004318409.tif 000004
【図３】
2004318409.tif 000005
【図４】
2004318409.tif 000006
【図５】
2004318409.tif 000007
【図６】
2004318409.tif 000008
【図７】
2004318409.tif 000009
【図８】
2004318409.tif 000010
【図９】
2004318409.tif 000011
【図１０】
2004318409.tif 000012
【図１１】
2004318409.tif 000013
【図１２】
2004318409.tif 000014